(57)【特許請求の範囲】
【請求項１】
洗浄室の貯水槽内に貯められた高温度の洗浄水を排出管から排水する食器洗浄機において、
排水冷却器を備え、
前記排水冷却器は、
前記洗浄水の温度よりも低温度の冷却水を流し、前記排出管に接続する冷却水管と、
前記冷却水管に設けられた第１開閉弁と、
排水指示信号を出力して前記第１開閉弁を開弁状態にするように制御する冷水混合制御手段と、
前記排出管と前記冷却水管との接続部であり、前記排水される洗浄水に前記冷却水を混合させる混合部と、を具備することを特徴とする、食器洗浄機。
【請求項２】
前記排水冷却器は、
前記冷却水を貯えるタンクを具備し、
前記冷却水管は、前記タンクと前記排出管とを接続することを特徴とする、請求項１記載の食器洗浄機。
【請求項３】
前記排水冷却器は、
供給源から冷却水を前記タンクに供給する貯水管と、
前記貯水管に設けられた第２開閉弁とを具備し、
前記冷水混合制御手段は、排水終了指示信号を出力して、前記第１開閉弁を閉弁状態にし、前記第２開閉弁を開弁状態にし、減少分の前記冷却水を前記貯水槽に補給した後、前記第２開閉弁を閉弁状態にする制御を行うことを特徴とする請求項２記載の食器洗浄機。
【請求項４】
前記冷水混合制御手段は、排水終了指示信号を出力して、前記第１開閉弁を閉弁状態にすることを特徴とする、請求項１又は２に記載の食器洗浄機。
【請求項５】
前記洗浄室の貯水槽には洗浄水が複数回貯められ、貯められたそれぞれの洗浄水が前記排出管から排水され、
複数回のうち少なくとも一回は高温度の洗浄水が貯められ、
前記冷水混合制御手段は、他の洗浄水の排水を指示する排水指示信号と異なる前記高温度の洗浄水の排水を指示する高温排水指示信号を出力したときのみ、前記第１開閉弁を開弁状態にするように制御することを特徴とする、請求項１から４のいづれかに記載の食器洗浄機。
【発明の詳細な説明】
【０００１】
【発明の属する技術分野】
この発明は、高温度の洗浄水を排出管から排水する食器洗浄機に関する。
【０００２】
【従来の技術】
高温度の液体を排出管から排水する機器として、高温度の洗浄水（例えばすすぎ水）を排出管から排水する食器洗浄機がある。この食器洗浄機は、通常、その排出管が家庭内に配設された排水管に接続される。
衛生面から、殺菌のためにすすぎ水の温度を高温（例えば７７℃）に昇温させて、すすぎ工程を行っている。
【０００３】
【発明が解決しようとする課題】
しかしながら、家庭内に配設された排水管の材質の多くが塩化ビニル製であり、その耐熱温度は殺菌のためのすすぎ水の温度（例えば７７℃）に比べて低く約６０℃程度である。そのため、高温のすすぎ水が塩化ビニル製の排水管に流れると、過熱の結果、膨張、亀裂が起こり、排水漏れなどの不具合が生じる恐れがある。
【０００４】
このような課題を解決する手段として、たとえば、特開平６−６２９９７号公報に開示された手段があり、食器洗浄機内の洗浄室の貯水槽内に貯められた加熱水（すすぎ水）に対して、給水（異常水位スイッチが動作する水位に達しない程度にまで）、攪拌（一定時間０．１秒ＯＮ−０．９秒ＯＦＦ）、排水（一定時間）という一連動作を１分間繰り返し、温度を下げては高温のすすぎ水を少しずつ排出している。
【０００５】
ところが、貯水槽からのオーバフロー防止のため異常水位スイッチが動作する水位に達しない程度にまでしか水を給水できず、冷水混合による加熱水の温度低下は小さいため初期の排水温度は高いままであり、十分な温度低下が行われた排水を初期段階からは行えない。また、少しずつの排水のため排水に要する時間が長くかかる。
【０００７】
本発明はかかる点に鑑みて成されたもので、『洗浄室の貯水槽内に貯められた高温度の洗浄水を排出管から排水する食器洗浄機において』、殺菌を高温度の洗浄水で行った後、排水初期から最後まで洗浄水の温度低下を十分に行いつつ、従来の手法に比べて短時間で排水を行うことの可能な排水冷却器を備えた食器洗浄機を提供することを課題とする。
【００１６】
【課題を解決するための手段】
＜請求項１の発明＞
前述した課題を解決するために講じた請求項１の発明の解決手段は、
『排水冷却器を備え、排水冷却器は、洗浄水の温度よりも低温度の冷却水を流し、排出管に接続する冷却水管と、冷却水管に設けられた第１開閉弁と、排水指示信号を出力して第１開閉弁を開弁状態にするように制御する冷水混合制御手段と、排出管と冷却水管との接続部であり、排水される洗浄水に冷却水を混合させる混合部と、を具備することを特徴とする』ことである。
【００１７】
上記解決手段は次のように作用する。
排水される高温の洗浄水に低温の冷却水を混合させるので、洗浄水を冷却できる。また、混合する冷却水の量を制限する必要がないので、洗浄水を排水初期から十分に冷却させることができる。さらに、従来のように洗浄水を冷却させてから排水するのではなく、排水しながら冷却できるため、排水に要する時間が長くならない。
【００１８】
【発明の効果】
食器洗浄機は、十分な殺菌を行うことができるうえに、家庭の排水管の過熱防止を行い得て、膨張、亀裂を防ぎ、排水漏れなどの不具合は生じない。
また、排水初期から最後まで同程度に十分な冷却が可能なため、従来のように初期の温度低下が不十分となる不具合はない。
【００１９】
さらに、従来のように排水時間に加えて冷却時間を必要とせず、排水しながら冷却するので、排水に要する時間を短縮化できる。
＜請求項２の発明＞
上記請求項１の発明に『排水冷却器は、前記冷却水を貯えるタンクを具備し、冷却水管は、タンクと排出管とを接続することを特徴とする』ものでは、タンクに貯えられた冷却水が冷却水管を通って排出管に流れ、上記と同様の効果が得られる。
【００２０】
＜請求項３の発明＞
上記請求項２の発明に『排水冷却器は、供給源から冷却水をタンクに供給する貯水管と、貯水管に設けられた第２開閉弁とを具備し、冷水混合制御手段は、排水終了指示信号を出力して、第１開閉弁を閉弁状態にし、第２開閉弁を開弁状態にし、減少分の前記冷却水を貯水槽に補給した後、第２開閉弁を閉弁状態にする制御を行うことを特徴とする』ものでは、次回の食器洗浄機の排水に対応するために冷却水の補給を行うため、上記効果に加えて、食器洗浄機が高温の洗浄水を複数回排水する場合に対応できるという効果がある。
【００２１】
なお、第２開閉弁を制御する冷水混合制御手段としての、たとえばボールタップで開閉制御させてもよい。
＜請求項４の発明＞
上記請求項１又は２の発明に『冷水混合制御手段は、排水終了指示信号を出力して、前記第１開閉弁を閉弁状態にすることを特徴とする』ものでは、上記タンクの場合と異なる場合にも対応できる。即ち、たとえば水道水を直接冷却水管に流す場合は、第１開閉弁を閉弁状態にしなければ冷却水を流し続けることになるが、排水終了指示信号に応答して第１開閉弁を閉弁状態にすることで、冷却水を無駄に使用しなくてすむ。
【００２２】
＜請求項５の発明＞
上記請求項１〜４発明に『洗浄室の貯水槽には洗浄水が複数回貯められ、貯められたそれぞれの洗浄水が排出管から排水され、複数回のうち少なくとも一回は高温度の洗浄水が貯められ、冷水混合制御手段は、他の洗浄水の排水を指示する排水指示信号と異なる高温度の洗浄水の排水を指示する高温排水指示信号を出力したときのみ、第１開閉弁を開弁状態にするように制御することを特徴とする』ものでは、上記のような高温の洗浄水（すすぎ水）を排水するのではなく、洗浄に必要な程度の温度の予洗いの洗浄水や本洗いの洗浄水を排水する場合は、冷却水管から冷却水を流さないため、冷却水を無駄に使用しなくて済む。
【００２３】
【発明の実施の形態】
以下、本願発明の実施の形態を、図示例と共に説明する。
図１は、本発明の第１の実施の形態に係る排水冷却器が食器洗浄機に外付けで据えつけられた状態を示した概略図である。
図１を参照して、まず食器洗浄機について説明し、続けて排水冷却器について説明する。食器洗浄機（１０１）  は、内部に洗浄室（１０３）  を有し、洗浄室（１０３）  の前面が扉（１０５）  によって開閉できるようになっている。扉（１０５）  には洗浄室（１０３）  側に洗剤投入器（１０７）  が設けられている。洗浄室（１０３）  内には、食器かご（１０９）  が設けられ、下かご（１０９ａ）に食器（１１１ａ）が収容され、上かご（１０９ｂ）に食器（１１１ｂ）が収容される。
【００２４】
洗浄室（１０３）  の下部は貯水槽（１１３）  となっており、貯水槽（１１３）  には洗浄水（１１８）  が貯えられる。洗浄水（１１８）  は、予洗い、本洗い、すすぎ洗い等の工程に応じて給水、排水され、後述する洗浄ポンプ（１２３）  によって循環させることによって洗浄に用いられる。そして、この貯水槽（１１３）  への貯水は、給水弁（１１５）  の開閉により、給水管（１１７）  を通った水又は湯が給水されて行われる。
【００２５】
なお、貯水槽（１１３）  内には、ヒータ（１１９）  が設けられており、洗浄水（１１８）  の温度上昇や後述する乾燥工程での内部の空気の温度上昇が行われる。
また、洗浄水（１１８）  の温度は、貯水槽（１１３）  の下部に設けられたサーミスタ（１２１）  が温度検出することで所定の温度（殺菌のためのすすぎ水の温度であれば７７℃）に設定される。
【００２６】
次に、洗浄工程について説明する。貯水槽（１１３）  に貯えられた洗浄水（１１８）  は、洗浄ポンプ（１２３）  が作動することにより、回転ノズル（１２７）  及び固定ノズル（１２９）  に送られる。回転ノズル（１２７）  に送られた洗浄水（１１８）  は回転しながら下かご（１０９ａ）に収容された食器（１１１ａ）に噴射される。固定ノズル（１２９）  に送られた洗浄水（１１８）  は上かご（１０９ｂ）内の食器（１１１ｂ）に噴射される。これらの噴射により、食器（１１１ａ）及び食器（１１１ｂ）の汚れが落とされ、噴射された洗浄水（１１８）  は汚れを含みながら下方に落ち、再度、貯水槽（１１３）  に貯えられる。この一連の動作が循環して行われることで、食器の洗浄が行われる。
【００２７】
なお、洗浄時の循環に伴い、食器（１１１ａ）及び食器（１１１ｂ）に付着した汚れが残菜フィルタ（１２５）  で取り除かれるようになっている。
ここで、洗浄水（１１８）  としては、予洗い工程、本洗い工程、すすぎ洗い工程のために用いられるものがある。予洗いは、水又は湯が用いられ、本洗いは、湯に洗剤投入器（１０７）  から投入された洗剤やリンスが含まれた状態のものが用いられ、すすぎ水は湯が用いられる。特に、すすぎ水は、すすぎの効果のみならず、殺菌の役割を果たすため、７７℃の高温度に昇温されたのものが用いられる。それぞれの洗浄水は、各工程が終了すると排水されるが、以下、その排水について説明する。
【００２８】
排水は、排水ポンプ（１３１）  を作動させ、食器洗浄機（１０１）  内に配管された排出管（１３３）  内を介して行われる。排出管（１３３）  は、逆流を防ぐため一度上昇する排水経路とし、排水逆止弁（１３９）  によって逆流が防がれるようになっている。そして、排出管（１３３）  を流れた洗浄水（１１８）  は、家庭内に配設された排水管（２１７）  に向かって排水される。
【００２９】
そして、食器洗浄機（１０１）  は、すすぎ工程を行って排水を行った後、食器（１１１ａ）及び食器（１１１ｂ）の乾燥を行うために、乾燥工程を実行する。乾燥は、ファン（１４３）  が動作することで吸気口（１４１）  から外部の空気が取り入れられ、取り入れられた空気は吸気開口（１４５）  から洗浄室（１０３）  に送られる。送られた空気は、ヒータ（１１９）  で暖められ、食器（１１１ａ）及び食器（１１１ｂ）の湿気を取り除きながら排気開口（１４７）  に向かって流れる。排気開口（１４７）  から排気口（１４９）  へ向かって湿潤空気が流れ、外部に湿潤空気が送り出される。この動作が繰り返されることで、食器の乾燥が行われる。
【００３０】
［排水冷却器］
排水冷却器（２０１）  は、既存の食器洗浄機（１０１）  に外付け設置できるものであり、タンク（２０３）  と、冷却水管（２０７）  と、第１開閉弁（２０９）  と、排水検知手段としての水流センサ（２１１）  と、冷水混合制御部（２１３）  と、混合部（２１５）  と、貯水管（２２１）  と、第２開閉弁（２２３）  と、水位センサ（２２５）  とで構成される。
【００３１】
タンク（２０３）  は、食器洗浄機（１０１）  において殺菌のために高温度（７７℃）に昇温される洗浄水（１１８）  （すすぎ工程のすすぎ水）の温度よりも低温度の冷却水（２０５）  （水道供給水、通常、５℃〜３０℃）を貯えるものである。冷却水管（２０７）  は、タンク（２０３）  と排出管（１３３）  とを接続するものである。第１開閉弁（２０９）  は冷却水管（２０７）  に設けられている。水流センサ（２１１）  は、排出管（１３３）  内の洗浄水（１０８）  の流れを検知することで食器洗浄機（１０１）  の排水を検知する検知手段である。冷水混合制御部（２１３）  は、水流センサ（２１１）  が検知したことによる排水検知信号に応答して、第１開閉弁（２０９）  を開弁状態にする制御を行う。混合部（２１５）  は、コネクタであり、３つの接続部分を有し、第１の接続部分が排出管（１３３）  に接続し、第２の接続部分が冷却水管（２０７）  に接続し、第３の接続部分が家庭の排水管（２１７）  に接続している。排水管（２１７）  は、塩化ビニル製であり、耐熱温度が低いことは前述したとおりである。
【００３２】
なお、本実施の形態の食器洗浄機（１０１）  は、排水管（２１７）  と排出管（１３３）  とを直結させたものであり、ビルトインタイプである。
排水冷却器（２０１）  の動作について簡単に説明する。
食器洗浄機（１０１）  から高温の洗浄水（１１８）  （すすぎ水）が排水ポンプ（１３１）  の動作により排水されると、洗浄水（１１８）  が排出管（１３３）  内を通って流れる。水流センサ（２１１）  が排出管（１３３）  内の水流を検知して食器洗浄機（１０１）  の排水を検知する。水流センサ（２１１）  は、排水検知信号を冷水混合制御部（２１３）  に出力する。冷水混合制御部（２１３）  は、排水検知信号に応答して第１開閉弁（２０９）  を閉弁状態から開弁状態にする。これにより、タンク（２０３）  内に貯えられた冷却水（２０５）  が冷却水管（２０７）  を通り、混合部（２１５）  で高温の洗浄水（１１８）  と混合する。その結果、高温の洗浄水（１１８）  が温度冷却され、排水管（２１７）  の耐熱温度（６０℃）よりも低い温度の混合水（２１９）  となって排水管（２１７）  に流れ込む。
【００３３】
従って、排水管（２１７）  は過熱されることなく、膨張、亀裂等が起こらないため、排水漏れ等の問題が生じない。
なお、排水終了後も第１開閉弁（２０９）  が開弁状態であっても問題ないが、冷却水（２０５）  の無駄な使用を防ぐ点から、食器洗浄機（１０１）  の排水が終了すると水流センサ（２１１）  は、排水終了検知信号を冷水混合制御部（２１３）  に出力して第１開閉弁（２０９）  が閉弁状態にされる。
【００３４】
次に、次回に高温度の洗浄水（１１８）  が排水される場合に備えて、タンク（２０３）  に使用分の冷却水（２０５）  を補給する構成及び動作について説明する。
貯水管（２２１）  は、供給源から冷却水をタンク（２０３）  に供給するためのものである。第２開閉弁（２２３）  は貯水管（２２１）  に設けられている。
上記排水終了検知信号が冷水混合制御部（２１３）  に出力されると、第１開閉弁（２０９）  を閉弁状態にするとともに、冷水混合制御部（２１３）  が第２開閉弁（２２３）  を開弁状態にし、冷却水（２０５）  が貯水管（２２１）  を通ってタンク（２０３）  内に貯えられ、水位が上昇する。水位センサ（２２５）  が所定の値を検知すると、その信号を冷水混合制御部（２１３）  に送り、冷水混合制御部（２１３）  が第２開閉弁（２２３）  を閉弁させる。その結果、タンク（２１３）  内に高温の洗浄水（１１８）  に混合させるために使用した冷却水（２０５）  の減少分が補給される。
【００３５】
なお、水位センサ（２２５）  は、電極センサや圧力センサ等、所定水位を検出できるならいかなるものでもよい。
また、食器洗浄機が卓上タイプであれば、排出管（１３３）  からシンクに高温のすすぎ水が排水されることとなるが、その場合も上記家庭内に配設された排水管の過熱防止を行え、また、使用者が高温湯に触れる危険性を完全に防止できる。
【００３６】
さらに、排水初期から最後まで同程度に十分な冷却が可能なため、従来のように初期の温度低下が不十分となる不具合はない。
さらに、従来のように排水時間に加えて冷却時間を必要とせず、排水しながら冷却するので、排水に要する時間を短縮化できる。
さらに、機器と別体に排水冷却器を設置することができ、既存の食器洗浄機器の内部を変更することなく、上記効果が得られる。
【００３７】
尚、水流センサ（２１１）  の出力に基づく冷水混合制御部（２１３）  からの排水検知信号、排水終了検知信号を利用せず、水位センサ（２２５）  の水位検出値によって第２開閉弁（２２３）  を開弁、閉弁制御してもよい。また、第２開閉弁（２２３）  の開閉をおボールタップで行ってもよい。
【００３８】
また、高温のすすぎ水以外の予洗いや本洗い工程における洗浄水の排水の際には、排水冷却器が動作しないようにするため、水流センサ（２１１）  に加えて、排水された洗浄水が高温度の洗浄水（すすぎ水）であることを検知する温度検知手段としての温度センサを排出管（１３３）  に設けて、水流センサ（２１１）  の排水検知信号及び温度センサの検知信号の入力があった場合のみ、冷水混合制御部（２１３）  が第１開閉弁（２０９）  を開弁させるようにしてもよい。このようにすることで、冷却水の無駄な使用を防ぐことができる。
【００３９】
さらに、すすぎ工程が給水、排水を複数回繰り返す場合において、複数回のすすぎ水を高温度に設定したり、洗浄工程（予洗い、本洗い）やすすぎ工程における複数回の給水、排水のうち、高温度の洗浄水を複数回使用してもよい。その場合、たとえば、同一温度で行っても良く、徐々に温度を上げるようにしてもよく、徐々に温度を下げるようにしてもよい。
【００４０】
図２は、図１の実施の形態に係る排水冷却器の変形例を示した図であり、図１と異なる部分について説明する。
図２の実施の形態では、図１の場合のようにタンク（２０３）  等を用いず、水道直圧タイプとしている。即ち、冷却水管（２０７）  に第１開閉弁（２０９）  を設け、水流センサ（２１１）  が食器洗浄機（１０１）  の排水、排水終了を検知し、冷水混合制御部（２１３）  が排水検知信号の入力を受けて第１開閉弁（２０９）  を開弁状態にし、排水終了検知信号の入力を受けて第１開閉弁（２０９）  を閉弁状態に制御している。
【００４１】
なお、上水側と下水側との縁切りのために、逆止弁（２２７）  を冷却水管（２０７）  の第１開閉弁（２０９）  の下流側に設けているが、ホッパを代わりに用いてもよい。
他の内容については、図１の実施の形態で説明したので、説明を省略する。
図３は本発明の第２の実施の形態に係る排水冷却器を内蔵した食器洗浄機を示した概略ブロック図である。
【００４２】
図３を参照して、食器洗浄機（３０１）  は、図１と異なる部分について詳しく説明する。
食器洗浄機（３０１）  は、本来、機器内部に洗浄工程（予洗い、本洗い）、すすぎ工程、乾燥工程を制御する冷水混合制御手段としての役割を果たす制御部（３０３）  を備えている。この制御部（３０３）  は、排水ポンプ（１３１）  に排水指示信号を出力し、排水終了指示信号を出力する。そのため、制御部（３０３）  は機器の排水、排水終了を認識しているので、排水指示信号を第１開閉弁（２０９）  に出力して第１開閉弁（２０９）  を開弁状態にし、排水終了指示信号を第１開閉弁（２０９）  に出力して閉弁状態にする。
【００４３】
その他の構成の違いとして、当初から排水冷却器を内蔵しているため、冷却水管（２０７）  と排出管（１３３）  とはコネクタを使わずとも、直接接続しておけばよい。ただし、この場合においても接続部分が混合部に該当する。
第２開閉弁（２２３）  の開閉は、制御部（３０３）  が出力する排水終了指示信号によって開弁し、水位センサ（２２５）  のセンサ出力を受けた制御部（３０３）  からの信号によって閉弁させる。なお、制御部（３０３）  からの排水指示信号、排水終了指示信号を利用せず、水位センサ（２２５）  の水位検出値を受けた制御部（３０３）  の制御信号によって第２開閉弁（２２３）  の開弁、閉弁制御を行ってもよい。
【００４４】
以上のように、排水冷却器（３０５）  を内蔵した食器洗浄機（３０１）  の効果は図１に示した実施の形態の場合とほぼ同様である。
なお、図１の実施の形態の場合と同様に、高温のすすぎ水以外の予洗いや本洗い工程における洗浄水の排水の際には、排水冷却器が動作しないようにするため、制御部（３０３）  が出力する排水指示信号のうち高温排水指示信号が出力された場合のみ、第１開閉弁（２０９）  を開弁させるようにしてもよい。このようにすることで、冷却水の無駄な使用を防ぐことができる。
【００４５】
さらに、図１の実施の形態の場合と同様に、すすぎ工程が給水、排水を複数回繰り返す場合において、複数回のすすぎ水を高温度に設定したり、洗浄工程（予洗い、本洗い）やすすぎ工程における複数回の給水、排水のうち、高温度の洗浄水を複数回使用してもよい。その場合、たとえば、同一温度で行っても良く、徐々に温度を上げるようにしてもよく、徐々に温度を下げるようにしてもよい。
【００４６】
さらに、内蔵する場合であっても、制御部（３０３）  からの排水指示信号、排水終了指示信号を使用せず、水流センサ（２１１）  の水流検知信号（排水検知信号、排水終了検知信号）を用いたものであってもよい。
さらに、第２開閉弁（２２３）  の開閉は制御部（３０３）  と別のボールタップのような手法を用いたものでもよい。
【００４７】
図４は、図３の実施の形態に係る排水冷却器を内蔵した食器洗浄機の変形例を示した図であり、図３と異なる部分について説明する。
図４の実施の形態では、図３の場合のようにタンク（２０３）  等を用いず、水道直圧タイプとしている。即ち、冷却水管（２０７）  に第１開閉弁（２０９）  を設け、制御部（３０３）  が排水指示信号を出力して第１開閉弁（２０９）  を開弁状態にし、排水終了指示信号を出力して第１開閉弁（２０９）  を閉弁状態に制御している。
【００４８】
なお、上水側と下水側との縁切りのために、大気開放口（２２９ａ）が設けられたホッパ（２２９）  を冷却水管（２０７）  の第１開閉弁（２０９）  の下流側に設けているが、逆止弁を代わりに用いてもよい。また、大気開放口（２２９ａ）からの臭気漏出防止を図るために、トラップ（２０７ａ）や逆止弁を設けてもよい。
他の内容については、前述の実施の形態で説明したので、説明を省略する。
【図面の簡単な説明】
【図１】本発明の第１の実施の形態に係る排水冷却器が食器洗浄機に別体で外付けされた状態を示した概略図である。
【図２】図１の実施の形態に係る排水冷却器の変形例を示した図である。
【図３】本発明の第２の実施の形態に係る排水冷却器を内蔵した食器洗浄機を示した概略ブロック図である。
【図４】図３の実施の形態に係る排水冷却器を内蔵した食器洗浄機の変形例を示した図である。
【符号の説明】
（１０１）  ，（３０１）  ・・・食器洗浄機
（１１８）  ・・・洗浄水
（１３３）  ・・・排出管
（２０１）  ，（３０５）  ・・・排水冷却器
（２０３）  ・・・タンク
（２０５）  ・・・冷却水
（２０７）  ・・・冷却水管
（２０９）  ・・・第１開閉弁
（２１１）  ・・・水流センサ
（２１３）  ・・・冷水混合制御部
（２１５）  ・・・混合部
（２２１）  ・・・貯水管
（２２３）  ・・・第２開閉弁
（２２５）  ・・・水位センサ
（３０３）  ・・・制御部
（尚、各図中同一符号は同一または相当部分を示す。）
【図１】
0003544303.tif 000002
【図２】
0003544303.tif 000003
【図３】
0003544303.tif 000004
【図４】
0003544303.tif 000005